(57)【要約】【課題】本発明は、コンピューターネットワークに基づく危険状態監視システム及び危険状態処理サーバーを提供する。【解決手段】本発明の危険状態監視システムは、端末設備と通信する緊急処理モジュールと、処理ユニットを備える危険状態処理サーバーと、インターフェースアダプタと、を備え、インターフェースアダプタは、緊急処理モジュールの出力情報を含む第一類型信号を第二類型信号に変換してから危険状態処理サーバーの処理ユニットに送信し、危険状態処理サーバーから出力する緊急処理モジュールの入力情報を含む第二類型信号を第一類型信号に変換してから緊急処理モジュールに送信し、緊急処理モジュールは、端末設備からのレポート信号を受信すると、第一類型信号をインターフェースアダプタに送信し、且つインターフェースアダプタから送信する緊急処理モジュールの入力情報を含む第一類型信号を受信すると、端末設備に制御命令を送信する。【選択図】図２
2013047946.tif 000002
【特許請求の範囲】
【請求項１】
少なくとも１つの端末設備と通信する少なくとも１つの緊急処理モジュールと、
ネットワークインターフェース及び処理ユニットを備えるサーバーと、
第一インターフェース及び第二インターフェースを備えるインターフェースアダプタと、
を備えるコンピューターネットワークに基づく危険状態監視システムであって、
前記インターフェースアダプタは、前記第一インターフェース及びコンピューターネットワークを介して前記サーバーのネットワークインターフェースに接続され、且つ前記第二インターフェースを介して前記緊急処理モジュールに接続されて、前記緊急処理モジュールから出力する前記緊急処理モジュールの出力情報を含む第一類型信号を第二類型信号に変換してから前記コンピューターネットワークを介して前記サーバーの処理ユニットに送信し、前記サーバーから出力する前記緊急処理モジュールの入力情報を含む第二類型信号を第一類型信号に変換してから前記第二インターフェースを介して前記緊急処理モジュールに送信し、
前記サーバーの処理ユニットは、前記第二類型信号から前記緊急処理モジュールの出力情報を獲得し、且つ前記緊急処理モジュールの入力情報を含む第二類型信号を生じ、
前記緊急処理モジュールは、前記端末設備からのレポート信号を受信すると、第一類型信号を前記インターフェースアダプタに送信し、且つ前記インターフェースアダプタから送信する前記緊急処理モジュールの入力情報を含む第一類型信号を受信すると、前記端末設備に制御命令を送信することを特徴とするコンピューターネットワークに基づく危険状態監視システム。
【請求項２】
前記危険状態監視システムは、少なくとも１つのクライアントをさらに備え、前記クライアントは、前記コンピューターネットワークによって前記サーバーから送信する前記緊急処理モジュールの出力情報を受信し且つ前記緊急処理モジュールの入力情報を前記サーバーに送信することにより、前記サーバーによって前記緊急処理モジュールを制御することを特徴とする請求項１に記載のコンピューターネットワークに基づく危険状態監視システム。
【請求項３】
前記ネットワークインターフェース及び第一インターフェースは、イーサネット（登録商標）インターフェースであり、前記第二インターフェースは、シリアル通信インターフェースであることを特徴とする請求項１に記載のコンピューターネットワークに基づく危険状態監視システム。
【請求項４】
前記サーバーは、複数のネットワークインターフェース及びスイッチを備え、
前記スイッチは、前記処理ユニットがいずれか1つの前記ネットワークインターフェース及び前記インターフェースアダプタを介して前記インターフェースアダプタに接続された前記緊急処理モジュールと通信することにするとともに、前記処理ユニットと前記緊急処理モジュールとの間の通信が中断すると、前記処理ユニットが他の前記ネットワークインターフェース及び前記インターフェースアダプタを介して前記インターフェースアダプタに接続された前記緊急処理モジュールと通信することにすることを特徴とする請求項１に記載のコンピューターネットワークに基づく危険状態監視システム。
【請求項５】
各々の前記ネットワークインターフェースは、異なるサブネットワーク内に位置することを特徴とする請求項４に記載のコンピューターネットワークに基づく危険状態監視システム。
【請求項６】
前記緊急処理モジュールの出力情報は、前記緊急処理モジュール及び／又は前記端末設備の状態情報を含み、前記緊急処理モジュールの入力情報は、前記緊急処理モジュール及び／又は前記端末設備を制御するために用いられる制御命令を含む特徴とする請求項１に記載のコンピューターネットワークに基づく危険状態監視システム。
【請求項７】
ネットワークインターフェース及び処理ユニットを備えてなる危険状態処理サーバーであって、
前記ネットワークインターフェースは、コンピューターネットワークを介してインターフェースアダプタの第一インターフェースに接続され、前記インターフェースアダプタの第二インターフェースは緊急処理モジュールに接続され、前記インターフェースアダプタは、前記緊急処理モジュールから出力する前記緊急処理モジュールの出力情報を含む第一類型信号を第二類型信号に変換してから前記コンピューターネットワークを介して前記サーバーの処理ユニットに送信し、前記インターフェースアダプタは、前記サーバーから出力する前記緊急処理モジュールの入力情報を含む第二類型信号を第一類型信号に変換してから前記第二インターフェースを介して前記緊急処理モジュールに送信し、
前記処理ユニットは、前記第二類型信号から前記緊急処理モジュールの出力情報を獲得し、且つ前記緊急処理モジュールの入力情報を含む第二類型信号を生じることを特徴とするコンピューターネットワークに基づく危険状態処理サーバー。
【請求項８】
クライアントが前記コンピューターネットワークによって前記サーバーから送信する前記緊急処理モジュールの出力情報を受信し且つ前記緊急処理モジュールの入力情報を前記サーバーに送信することを特徴とする請求項７に記載のコンピューターネットワークに基づく危険状態処理サーバー。
【請求項９】
前記ネットワークインターフェース及び前記第一インターフェースは、イーサネット（登録商標）インターフェースであり、前記第二インターフェースは、シリアル通信インターフェースであることを特徴とする請求項７に記載のコンピューターネットワークに基づく危険状態処理サーバー。
【請求項１０】
前記危険状態処理サーバーは、複数のネットワークインターフェース及びスイッチをさらに備え、
前記スイッチは、前記処理ユニットがいずれか1つの前記ネットワークインターフェース及び前記インターフェースアダプタを介して前記インターフェースアダプタに接続された前記緊急処理モジュールと通信することにするとともに、前記処理ユニットと前記緊急処理モジュールとの間の通信が中断すると、前記処理ユニットが他の前記ネットワークインターフェース及び前記インターフェースアダプタを介して前記インターフェースアダプタに接続された前記緊急処理モジュールと通信することにすることを特徴とする請求項７に記載のコンピューターネットワークに基づく危険状態処理サーバー。
【請求項１１】
各々の前記ネットワークインターフェースは、異なるサブネットワーク内に位置することを特徴とする請求項７に記載のコンピューターネットワークに基づく危険状態処理サーバー。
【発明の詳細な説明】
【技術分野】
【０００１】
本発明は、危険状態を監視する危険状態監視システム及び危険状態処理サーバーに関するものであり、特に消防安全監視システム及び処理サーバーに関するものである。
【背景技術】
【０００２】
従来の火災警報システムは、モニターに接続される複数のコントロールパネルを備え、各々の前記コントロールパネルは、ＲＳ−２３２シリアルインターフェースを介して前記モニターと通信する。前記モニターによって前記コントロールパネル及び前記コントロールパネルに接続された端末設備を監視することができ、前記端末設備は、温度センサー、ブザーなどである。サーバーをモニターとして前記コントロールパネル及び前記端末設備を監視する場合、インターフェースアダプタを必要とする。図１を参照すると、従来の危険状態監視システムは、サーバー１と、複数のインターフェースアダプタ２と、複数のコントロールパネル３と、複数の端末設備４と、を備える。各々の前記コントロールパネル３は、複数の端末設備４に接続され、前記サーバー１は、イーサネット（登録商標）ネットワーク５を介して各々の前記インターフェースアダプタ２に接続される。各々の前記インターフェースアダプタ２は、獲得ユニット６を備え、前記獲得ユニット６は、前記コントロールパネル３又は前記コントロールパネル３に接続された各々の前記端末設備４の状態信号を獲得するために用いられ、且つ前記サーバー１からの制御命令を前記コントロールパネル３又は各々の前記端末設備４に伝送するために用いられる。各々の前記インターフェースアダプタ２は、ＲＳ−２３２インターフェース及びイーサネット（登録商標）インターフェースを備え、従って前記サーバー１は各々の前記コントロールパネル３と通信することができる。
【発明の概要】
【発明が解決しようとする課題】
【０００３】
しかし、前記インターフェースアダプタ２はその獲得ユニット６によって前記サーバー１と前記コントロールパネル３との間のデータを変換し、且つ各々の前記インターフェースアダプタ２は特定類型の前記コントロールパネル３に対応するので、他の類型の前記コントロールパネル３を増加する場合、前記インターフェースアダプタ２を再び設計することを必要とするが、前記インターフェースアダプタ２の設計は複雑であるので、危険状態監視システム全体のコストを増加する。
【０００４】
本発明の目的は、前記課題を解決し、危険状態監視システム全体のコストを下げることができ、コンピューターネットワークに基づく危険状態監視システム及び危険状態処理サーバーを提供することである。
【課題を解決するための手段】
【０００５】
本発明に係る危険状態監視システムは、少なくとも１つの端末設備と通信する少なくとも１つの緊急処理モジュールと、ネットワークインターフェース及び処理ユニットを備えるサーバーと、第一インターフェース及び第二インターフェースを備えるインターフェースアダプタと、を備え、
前記インターフェースアダプタは、前記第一インターフェース及びコンピューターネットワークを介して前記サーバーのネットワークインターフェースに接続され、且つ前記第二インターフェースを介して前記緊急処理モジュールに接続されて、前記緊急処理モジュールから出力する前記緊急処理モジュールの出力情報を含む第一類型信号を第二類型信号に変換してから前記コンピューターネットワークを介して前記サーバーの処理ユニットに送信し、前記サーバーから出力する前記緊急処理モジュールの入力情報を含む第二類型信号を第一類型信号に変換してから前記第二インターフェースを介して前記緊急処理モジュールに送信し、
前記サーバーの処理ユニットは、前記第二類型信号から前記緊急処理モジュールの出力情報を獲得し、且つ前記緊急処理モジュールの入力情報を含む第二類型信号を生じ、
前記緊急処理モジュールは、前記端末設備からのレポート信号を受信すると、第一類型信号を前記インターフェースアダプタに送信し、且つ前記インターフェースアダプタから送信する前記緊急処理モジュールの入力情報を含む第一類型信号を受信すると、前記端末設備に制御命令を送信する。
【０００６】
本発明に係る危険状態処理サーバーは、ネットワークインターフェース及び処理ユニットを備え、
前記ネットワークインターフェースは、コンピューターネットワークを介してインターフェースアダプタの第一インターフェースに接続され、前記インターフェースアダプタの第二インターフェースは緊急処理モジュールに接続され、前記インターフェースアダプタは、前記緊急処理モジュールから出力する前記緊急処理モジュールの出力情報を含む第一類型信号を第二類型信号に変換してから前記コンピューターネットワークを介して前記サーバーの処理ユニットに送信し、前記インターフェースアダプタは、前記サーバーから出力する前記緊急処理モジュールの入力情報を含む第二類型信号を第一類型信号に変換してから前記第二インターフェースを介して前記緊急処理モジュールに送信し、
前記処理ユニットは、前記第二類型信号から前記緊急処理モジュールの出力情報を獲得し、且つ前記緊急処理モジュールの入力情報を含む第二類型信号を生じる。
【発明の効果】
【０００７】
本発明のコンピューターネットワークに基づく危険状態監視システムは、サーバーに異なる緊急処理モジュールに対応する獲得ユニットを集積することにより、同じ前記インターフェースアダプタによって、前記サーバーが異なる類型の前記緊急処理モジュールと通信することにして、前記インターフェースアダプタを設置するコストを下げる。
【図面の簡単な説明】
【０００８】
【図１】従来の危険状態監視システムの構造を示す図である。
【図２】本発明の第一実施形態に係るコンピューターネットワークに基づく危険状態監視システム及び危険状態処理サーバーの構造を示す図である。
【図３】本発明の第二実施形態に係るコンピューターネットワークに基づく危険状態監視システム及び危険状態処理サーバーの構造を示す図である。
【発明を実施するための形態】
【０００９】
以下、図面を参照して、本発明の実施形態について説明する。
【００１０】
図２を参照すると、本発明の第一実施形態に係るコンピューターネットワークに基づく危険状態監視システムは、サーバー１０と、複数のインターフェースアダプタ２０と、複数の緊急処理モジュール３０と、イーサネット（登録商標）ネットワーク１００と、複数のクライアント２００と、を備える。前記サーバー１０は、前記イーサネット（登録商標）ネットワーク１００及び前記インターフェースアダプタ２０によって、前記インターフェースアダプタ２０に接続された前記緊急処理モジュール３０とデータを交換する。本実施形態において、前記危険状態監視システムは、火災警報システムに応用される。他の実施形態において、前記危険状態監視システムは、他の類型の安全監視システムに応用される。
【００１１】
前記サーバー１０は、イーサネット（登録商標）インターフェース１１及び処理ユニット１２を備える。前記処理ユニット１２は、複数の獲得ユニット１２１を備え、前記獲得ユニット１２１は、前記インターフェースアダプタ２０からのイーサネット（登録商標）信号ＳＥから前記緊急処理モジュール３０の出力情報ＩＯを獲得し、且つ前記緊急処理モジュール３０に入力情報Ｉｉを含むイーサネット（登録商標）信号ＳＥを出力する。
【００１２】
前記クライアント２００は、前記イーサネット（登録商標）ネットワーク１００によって前記サーバー１０に接続されて、前記サーバー１０を介して前記緊急処理モジュール３０の出力情報ＩＯを受信して前記緊急処理モジュール３０の状態情報を獲得し、且つ前記緊急処理モジュール３０を制御するための入力情報Ｉｉを前記サーバー１０に出力することにより前記緊急処理モジュール３０を制御する。本実施形態において、前記クライアント２００及び前記サーバー１０は、前記緊急処理モジュール３０から前記サーバー１０に出力する出力情報ＩＯを表示するために用いられる表示インターフェースと、前記サーバー１０から出力する前記緊急処理モジュール３０を制御するために用いられる入力情報Ｉｉを入力するために用いられる入力インターフェースと、をさらに備える。前記クライアント２００は、前記サーバー１０と通信を行うために用いられる監視プログラムを運行し、前記監視プログラムは、前記緊急処理モジュール３０に対してリアルタイムに監視するために用いられ、前記サーバー１０は、前記クライアント２００の監視プログラムを自動的に更新して、ユーザーに提示する。前記サーバー１０及び前記クライアント２００によって、前記緊急処理モジュール３０をリモートで監視することができる。
【００１３】
各々の前記インターフェースアダプタ２０は、ＲＳ−２３２インターフェース２１及びイーサネット（登録商標）インターフェース２２を備える。前記イーサネット（登録商標）インターフェース２２は、前記イーサネット（登録商標）ネットワーク１００を介して、前記サーバー１０のイーサネット（登録商標）インターフェース１１に接続される。本実施形態において、前記インターフェースアダプタ２０は、前記イーサネット（登録商標）インターフェース２２を介して前記サーバー１０のイーサネット（登録商標）インターフェース１１と通信し、前記ＲＳ−２３２インターフェース２１を介して前記緊急処理モジュール３０と通信する。他の実施形態において、前記インターフェースアダプタ２０と前記サーバー１０は、無線ローカルエリアネットワーク（ＷＬＡＮ）のような他のタイプのコンピューターネットワークによって通信することができる。前記インターフェースアダプタ２０は、ＲＳ−４８５インターフェースのような他のシリアル通信インターフェースを介して前記緊急処理モジュール３０と通信することができ、又は他のパラレル通信インターフェースを介して前記緊急処理モジュール３０と通信することができる。前記サーバー１０のイーサネット（登録商標）インターフェース１１と前記インターフェースアダプタ２０のイーサネット（登録商標）インターフェース２２は、ルーター又はスイッチによって接続されることができ、前記サーバー１０及び前記インターフェースアダプタ２０は、異なるサブネットワーク内で通信することができ、同じサブネットワーク内で通信することもできる。
【００１４】
前記インターフェースアダプタ２０は、前記ＲＳ−２３２インターフェース２１を介して前記緊急処理モジュール３０の出力情報ＩＯを含むＲＳ−２３２信号ＳＳを受信すると、前記ＲＳ−２３２信号ＳＳをイーサネット（登録商標）信号ＳＥに変換してから前記イーサネット（登録商標）ネットワーク１００を介して前記サーバー１０のイーサネット（登録商標）インターフェース１１に送信する。前記インターフェースアダプタ２０は、前記サーバー１０から出力する前記緊急処理モジュール３０を制御するために用いられる入力情報Ｉｉを含むイーサネット（登録商標）信号ＳＥを受信すると、前記イーサネット（登録商標）信号ＳＥをＲＳ−２３２信号ＳＳに変換してから前記ＲＳ−２３２インターフェース２１を介して前記緊急処理モジュール３０に送信する。前記入力情報Ｉｉは前記緊急処理モジュール３０を制御するために用いられる制御信号ＳＣを備える。
【００１５】
各々の前記緊急処理モジュール３０は、コントロールパネル３１及び複数の端末設備３２を備える。前記サーバー１０の獲得ユニット１２１は、前記コントロールパネル３１の類型に対応する。前記コントロールパネル３１は、前記インターフェースアダプタ２０のＲＳ−２３２インターフェース２１に接続される。前記端末設備３２は、センサー、ブザーなどの消防設備であることができ、火災状態を監視して警報を出す。  
【００１６】
前記コントロールパネル３１は、前記端末設備３２から送信するレポート信号ＳＲを受信すると、前記レポート信号ＳＲをＲＳ−２３２信号ＳＳ（前記レポート信号ＳＲに対応する前記緊急処理モジュール３０の出力情報ＩＯを含む）に変換してから前記インターフェースアダプタ２０に送信する。前記コントロールパネル３１は、前記インターフェースアダプタ２０から送信するＲＳ−２３２信号ＳＳを受信すると、前記端末設備３２に前記ＲＳ−２３２信号ＳＳの中の入力情報Ｉｉに対応する制御信号ＳＣを送信する。本実施形態において、前記出力情報ＩＯは、前記コントロールパネル３１及び/又は各々の前記端末設備３２の状態情報を含むので、前記サーバー１０は前記状態情報に基づいて前記コントロールパネル３１又は各々の前記端末設備３２が作動状態にあるか否かを判断する。前記入力情報Ｉｉは前記コントロールパネル３１及び各々の前記端末設備３２を制御するために用いられる制御命令を備えるので、前記サーバー１０及び前記クライアント２００は、前記イーサネット（登録商標）ネットワーク１００を介して、前記コントロールパネル３１及び各々の前記端末設備３２の作動状態を制御することができる。本実施形態において、前記サーバー１０は制御命令を発送することにより、前記コントロールパネル３１又は各々の前記端末設備３２を定期的にテストして、前記コントロールパネル３１又は各々の前記端末設備３２の状態情報を獲得する。
【００１７】
本実施形態において、複数の前記コントロールパネル３１は、異なる類型のコントロールパネルであって、別々に異なる状態情報形式及び異なる制御命令形式を有するので、前記サーバー１０は異なる獲得ユニット１２１を備え、異なる類型の前記コントロールパネル３１に対応することにする。このように前記サーバー１０は、各々の前記コントロールパネル３１及び端末設備３２に対して統一の監視及び管理を行うことができる。
【００１８】
１つの前記端末設備３２に異常が発生すると、例えば、温度センサーによって温度が高すぎることを感知すると、前記端末設備３２は、対応するレポート信号ＳＲを前記コントロールパネル３１に送信し、前記コントロールパネル３１は、前記レポート信号ＳＲを受信してから、前記ＲＳ−２３２インターフェース２１を介して、前記レポート信号ＳＲに対応する前記コントロールパネル３０の出力情報ＩＯを含むＲＳ−２３２信号ＳＳを前記インターフェースアダプタ２０に送信する。前記インターフェースアダプタ２０は、受信した前記ＲＳ−２３２信号ＳＳをイーサネット（登録商標）信号ＳＥに変換してから前記イーサネット（登録商標）ネットワーク１００を介して前記サーバー１０に送信する。前記サーバー１０は、前記イーサネット（登録商標）インターフェース１１を介して前記イーサネット（登録商標）信号ＳＥを受信すると、前記獲得ユニット１２１によって前記イーサネット（登録商標）信号ＳＥから前記コントロールパネル３０の出力情報ＩＯを獲得する。前記出力情報ＩＯが含む状態情報は、表示インターフェースによって所定の形式に表示され、ユーザーに直観の情報を提供する。
【００１９】
前記サーバー１０は、異常が発生された前記コントロールパネル３１から送信するレポート信号ＳＲを受信すると、前記イーサネット（登録商標）インターフェース１１を介して、異常が発生された前記コントロールパネル３１に前記異常信号に対応する制御命令を送信する。具体的に説明すると、異常が発生された前記コントロールパネル３１に対応する前記獲得ユニット１２１は、入力情報Ｉｉを含むイーサネット（登録商標）信号ＳＥを生じ、前記入力情報Ｉｉは前記緊急処理モジュール３０を制御するために用いられる制御信号ＳＣを含む。前記イーサネット（登録商標）信号ＳＥは、前記インターフェースアダプタ２０に送信される。前記インターフェースアダプタ２０は、受信した前記イーサネット（登録商標）信号ＳＥをＲＳ−２３２信号ＳＳに変換してから前記ＲＳ−２３２インターフェース２１を介して前記緊急処理モジュール３０に送信する。前記緊急処理モジュール３０のコントロールパネル３１は、前記ＲＳ−２３２信号ＳＳが含む制御命令を異常が発生された前記端末設備３２に送信して、前記端末設備３２によって警報を出し、例えば、ブザーによって警報を出して近隣の人々に警告する。
【００２０】
図３は、本発明の第二実施形態に係るコンピューターネットワークに基づく危険状態監視システムの構造を示す図である。前記第一実施形態に係るコンピューターネットワークに基づく危険状態監視システムに比べて、本実施形態に係るコンピューターネットワークに基づく危険状態監視システムにおいて、前記サーバー１０は、スイッチ１３及び複数のイーサネット（登録商標）インターフェース１１をさらに備える。前記サーバー１０は、各々の前記イーサネット（登録商標）インターフェース１１が各々の前記インターフェースアダプタ２０と通信することができるか否かを定期的にチェックする。本実施形態において、前記サーバー１０の各々のイーサネット（登録商標）インターフェース１１は、異なるサブネットワーク内に位置し、前記スイッチ１３は、前記獲得ユニット１２１がいずれか１つの前記イーサネット（登録商標）インターフェース１１を介して前記インターフェースアダプタ２０と通信することにする。もし前記獲得ユニット１２１が前記イーサネット（登録商標）インターフェース１１を介して前記緊急処理モジュール３０との通信が中断すると、前記スイッチ１３は、前記獲得ユニット１２１が他の前記イーサネット（登録商標）インターフェース１１を介して前記サーバー１０と前記緊急処理モジュール３０との間の通信を再び建て、このように前記危険状態監視システムの安定性を増強する。他の実施形態において、前記スイッチ１３を省略することもでき、前記サーバー１０は複数の前記イーサネット（登録商標）インターフェース１１を介して直接に各々の前記インターフェースアダプタ２０と通信する。  
【００２１】
本発明のコンピューターネットワークに基づく危険状態監視システムは、前記インターフェースアダプタ２０に異なるコントロールパネル３１に対応する獲得ユニット１２１を設置しなく、前記サーバー１０に異なるコントロールパネル３１に対応する獲得ユニット１２１を集積することにより、同じ前記インターフェースアダプタ２０によって、前記サーバー１０が異なる類型の前記コントロールパネル３１と通信することにして、前記インターフェースアダプタ２０を設置するコストを下げる。
【００２２】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００２３】
１，１０  サーバー
２，２０  インターフェースアダプタ
３，３１  コントロールパネル
４，３２  端末設備
５，１００  イーサネット（登録商標）ネットワーク
６，１２１  獲得ユニット
１１，２２  イーサネット（登録商標）インターフェース
１２  処理ユニット
１３  スイッチ
２１  ＲＳ−２３２インターフェース
３０  緊急処理モジュール
２００  クライアント
【図１】
2013047946.tif 000003
【図２】
2013047946.tif 000004
【図３】
2013047946.tif 000005